(57)【特許請求の範囲】
【請求項１】
回転駆動されるマルチベベルステップ工具、特に硬質材料にドリルするステップドリルであって、複数の単エッジ付き又は多エッジ付き切削ステップ（２０、３０、４０）を備えており、これらは、切削及び前進方向に互い違いに配置されて、各々がエッジ（２１、２２、３１、３２、４１、４２）の数に対応する数の縦溝（２３、３３、４３）を有し、それによって周方向にお互いに隣り合う縦溝（２３、３３）がランド（２４）によってお互いに分けられており、
切削及び前進方向に２つの連続する切削ステップ（２０、３０）の周方向にお互いに隣り合う縦溝（２３、３３）が、周方向の側面に開いていて且つそれらの間のランド（２４）を遮るチップ窓（２５）によって接続されており、
チップ窓（２５）は、周方向に沿ってランド（２４）の一部を切り欠いたものであることを特徴とする、マルチベベルステップ工具。
【請求項２】
前記チップ窓（２５）が、後続する切削ステップ（３０）の縦溝（３３）の底まで、放射方向に延在していることを特徴とする、請求項１に記載のマルチベベルステップ工具。
【請求項３】
前記チップ窓（２５）が、後続する切削ステップ（３０）の少なくともはじめまで工具の柄（１２）に向かって軸方向に延在していることを特徴とする、請求項１又は２に記載のマルチベベルステップ工具。
【請求項４】
前記チップ窓（２５）が、前記工具の柄（１２）に向かって軸方向に延在して、後続する切削ステップ（３０）の最も近い面の切削エッジ（３１）がチップ窓（２５）の中心に位置していることを特徴とする、請求項３に記載のマルチベベルステップ工具。
【請求項５】
前記チップ窓（２５）が所定の軸方向長さを有しており、これが、先行する接触ステップ（２０）によって製造されるチップのサイズに依存して構成されていることを特徴とする、請求項３又は４に記載のマルチベベルステップ工具。
【請求項６】
前記チップ窓（２５）が、前記工具の柄（１２）に向かって軸方向に、放射状に深さが増すチップ窓の入口（２５ａ）と、チップ窓の入口（２５ａ）に接続されて且つ好ましくは軸方向に平行なチップ窓の底（２５ｂ）と、チップ窓の底に接続されて且つ放射状に深さが減るチップ窓の端（２５ｃ）とに分けられることを特徴とする、請求項１〜５のいずれか一つに記載のマルチベベルステップ工具。
【請求項７】
前記チップ窓の底（２５ｂ）が平面として形成されていることを特徴とする、請求項６に記載のマルチベベルステップ工具。
【請求項８】
前記チップ窓の底（２ｂ）が、レーキ面（３５）に対して、又は周方向に隣り合っていて後続の切削ステップに属して且つレーキ面（３５）に延在するチップ縦溝（３３）のチップ縦溝面（３６）に対して、所定の角度で傾斜していることを特徴とする、請求項６又は７に記載のマルチベベルステップ工具。
【請求項９】
前記チップ窓の入口（２５ａ）及び前記チップ窓の端（２５ｂ）が、各々凹状の湾曲面として形成されていることを特徴とする、請求項６〜８のいずれか一つに記載のマルチベベルステップ工具。
【請求項１０】
前記チップ窓（２５）が、周方向に隣り合うチップ縦溝（２３、３３）の間のランド（２４）における開口の方向に関して、前記マルチベベルステップ工具の回転軸（１１）及び前記チップ縦溝（２３、３３）の長手延長に対してそれぞれ所定の角度（α≦９０°）で、位置合わせされていることを特徴とする、請求項１〜９のいずれか一つに記載のマルチベベルステップ工具。
【請求項１１】
好ましくは硬いセメントカーバイドで形成された単一部品工具本体、及び、前記工具本体に位置するＰＣＤ切削インサートとして構成された切削ステップ（２０、３０、４０）の切削エッジ（２１、２２、３１、３２、４１、４２）を特徴とする、請求項１〜１０のいずれか一つに記載のマルチベベルステップ工具。
【請求項１２】
前記チップ窓（２５）が、軸方向長さ及び軸方向位置に関して、後続の切削ステップ（２０）の最も近い切削インサート（１５）の軸方向長さ及び軸方向位置に対応していることを特徴とする、請求項１１に記載のマルチベベルステップ工具。
【請求項１３】
チップ縦溝（２３、３３、４３）が直線状に具現化されていることを特徴とする、請求項１〜１２のいずれか一つに記載のマルチベベルステップ工具。
【請求項１４】
前記マルチベベルステップ工具に切削流体を供給するための最小量の潤滑のために構成されたチャンネル（５０）の内部システムを特徴とする、請求項１〜１３のいずれか一つに記載のマルチベベルステップ工具。
【請求項１５】
一つ又はいくつかの切削ステップ（２０、３０）に対する切削流体サプライが、対応する面の切削エッジ（２１、３１）の後ろの正面向き側面（２９、３９）に各々位置する出口（２８、３８）を介して提供されることを特徴とする、請求項１４に記載のマルチベベルステップ工具。
【請求項１６】
切削ステップ（２０、３０、４０）が、各々周方向に等距離に位置する面と周方向の切削エッジ（２１、２２、３１、３２、４１、４２）とを有する複数の切削エッジ、特にある点に関して対称である面及び周方向切削エッジ（２１、２２、３１、３２、４１、４２）を有する二重エッジを有して構成されていることを特徴とする、請求項１〜１５のいずれか一つに記載のマルチベベルステップ工具。
【発明の詳細な説明】
【技術分野】
【０００１】
本発明は、回転駆動されるマルチベベルステップ工具、特に、硬質材料にドリルするステップドリルに関しており、これは、請求項１の前提部に従って切削及び前進方向に互い違いに配置された複数の単エッジ付き又は多エッジ付き切削ステップを備える。
【背景技術】
【０００２】
製造技術において、多段階加工がしばしば見出される。例えば、異なる直径の軸方向に互い違いになったドリル孔が形成されるが、皿穴を有するドリル孔、又は異なるドリル孔及び皿穴の組み合わせもまた、普通に形成される。加工時間を最小に維持するために、組み合わせ工具が、一つの製造ステップで前述の異なる加工操作を行うために開発されてきた。そのような組み合わせ工具の中には、ステップドリルビット、皿穴カッター、ステップ皿穴、ステップリーマーなどがあり、これらは以下では、適当であれば、一般的にステップ工具と呼ばれる。
【０００３】
そのようなステップ工具の例は、特許文献１から６に記載されている。特許文献１〜３に記載されたステップ工具は、組み合わされたチップ縦溝を有するいくつかの切削ステップで製造されたチップを輸送する。特許文献４に記載されたステップ工具は２つの切削ステップを有しており、各々がそれ自身のチップ縦溝を有する。特許文献６に記載されたステップドリルは、いわば前述のステップ工具の両方の組み合わせであり、第１、第３及び第５の切削ステップ、ならびに第２及び第４の切削ステップを有して、各々の場合に３つのチップ縦溝が割り当てられている。特許文献５は、異なる加工直径の２つの切削ステップを有するマルチベベルステップドリルの形態の一般的な種類のマルチベベルステップ工具を示し且つ記述しており、各切削ステップにはそれら自身のチップ縦溝が割り当てられている。
【先行技術文献】
【特許文献】
【０００４】
【特許文献１】ＤＥ２９９０１４１４Ｕ１
【特許文献２】ＤＥ３６１００１６Ａ１
【特許文献３】ＤＥ２００１５５５ＯＵ１
【特許文献４】ＤＥ２０２００７０１５５９５Ｕ１
【特許文献５】ＤＥ１７８５０１２Ｕ
【特許文献６】ＤＥ１０４１３２４Ａ
【発明の概要】
【発明が解決しようとする課題】
【０００５】
従来のマルチベベルステップ工具は欠点を有しており、すなわち、比較的加工直径が小さい切削ステップのエリアで、縦溝毎のチップ輸送に利用可能な体積が通常はタイトに計算されているために、好ましくない条件下では、チップ詰まりが容易に起こりやすい。チップ詰まりのリスクは、例えば、小さな加工直径を有する切削ステップの軸方向長さとともに増加する。
【０００６】
特許文献５で確立されたようなマルチベベルステップ工具に基づいて、特に比較的小さい加工直径を有する切削ステップのエリアで、チップの信頼性のある輸送が確実にされるように、マルチベベルステップ工具をさらに開発することが、本発明の目的である。
【課題を解決するための手段】
【０００７】
この問題は、請求項１の特徴を有するマルチベベルステップ工具によって解決される。
【０００８】
本発明に従った回転駆動されるマルチベベルステップ工具は複数の単エッジ付き又は多エッジ付き切削ステップを備えており、それらは、（周方向又は回転方向又は）切削及び（軸方向又は）前進方向に互い違いに配置されて、且つ各々が切削エッジの数に対応する数の縦溝を有している。単エッジ付き切削ステップの場合、切削ステップは各々、正確に一つの切削エッジ、ならびにその切削エッジに対応する一つの縦溝を有しており、２つ、３つなどのエッジ付き切削ステップの場合には、切削ステップは、対応する数の切削エッジ、ならびに切削エッジの数に対応し且つ各々が切削エッジに割り当てられた数の縦溝を有している。これより、各切削ステップは、それぞれの切削エッジの数に対応する数の縦溝を有している。周方向にお互いに隣り合っている縦溝は、ランドによってお互いに分けられている。縦溝、及びそれらと共にそれらの間に位置するランドは、マルチベベルステップ工具の回転軸に関して、らせん状の形状を有するか又は直線状であることができる。
【０００９】
２つの切削ステップの場合、異なる加工直径を有する切削ステップが切削及び前進方向に互い違いであることは、切削及び前進方向に最初の又は先行する切削ステップがより小さい加工直径を有し、切削及び前進方向に第２の又は後続の切削ステップがより大きな加工直径を有することを提供する。２つより多くの切削ステップの場合、切削及び前進方向の連続する２つの切削ステップが、切削及び前進方向の先行する切削ステップ、ならびに切削及び前進方向の後続の切削ステップ、例えば第１の切削ステップ及び第２の切削ステップ、又は第２の切削ステップ及び第３の切削ステップ、などを構成する。先行する切削ステップは、後続の切削ステップよりも常に小さい直径を有する。
【００１０】
上述のように、本発明にしたがったマルチベベルステップ工具では、切削及び前進方向に連続する２つの切削ステップの周方向に隣り合った２つの縦溝が、ランドによってお互いに分けられている。異なる切削ステップの相関に関わらず、これらの縦溝は好ましくは、それぞれの切削ステップのはじまりから工具の柄の終わりまで連続して形成されていて、先行する切削ステップの縦溝が後続の切削ステップの縦溝よりも長くなって、縦溝の端が軸方向に同じ場所にある。
【００１１】
本発明によれば、切削及び前進方向に連続する２つの切削ステップ、すなわち、より小さい加工直径を有する先行する切削ステップとより大きい加工直径を有する後続の切削ステップとの周方向に隣り合った縦溝が、それらの間のランドを遮るチップ窓によって接続されている。先行する切削ステップとの関係では、チップ窓はそれゆえ、先行する切削エッジの対応するレーキ面に位置するか、又は、切削インサートにフィットした工具本体として形成されているマルチベベルステップ工具の場合には、対応するレーキ面を延在している先行する切削ステップの縦溝の面に、位置している。
【００１２】
その周方向に隣り合った縦溝がチップ窓によってお互いに接続されている切削及び前進方向に連続した２つの切削ステップは、好ましくは、第１及び第２の切削ステップを構成する。なぜなら、チップ輸送に関連した問題が、最小の加工直径を有する第１の切削ステップで起こりやすいからである。第１及び第２の切削ステップの代わりに、又はそれらに加えて、第２及び第３の、第３及び第４の、などの、すなわち、切削及び前進方向に連続した任意の２つの切削ステップの周方向に隣り合った２つの縦溝が、それらの間のランドにおけるチップ窓によって、接続されることができる。
【００１３】
いずれの場合も、より小さな加工直径を有する切削及び前進方向の先行する切削ステップの縦溝で輸送されるチップの少なくとも一部が、より大きな加工直径を有する切削及び前進方向の後続の切削ステップの周方向に隣り合った縦溝まで、例えば平削り（ミリング）又は研削（グラインディング）によって製造されるチップ窓を通過することができる。先行する切削エッジにて製造されたチップの輸送は、したがって、チップがチップ窓に到達するまでは、先行する切削エッジの各々の縦溝によって、縦溝の長手方向のみに達成されて、チップがチップ窓に到達した後は、先行する切削ステップの各々の縦溝、ならびに後続の切削の周方向に隣り合った縦溝で、達成される。したがって、トータルとしては、より大きな体積が、先行する切削エッジで製造されたチップの輸送のために利用可能であり、このことは、よりよいチップ輸送が、特に非常に小さい加工直径を有する第１の切削ステップに対して達成されることができることを意味している。より良いチップ輸送のおかげで、第１の切削ステップの縦溝の放射方向の深さは、例えば大きなコア直径を維持するために、必要であればタイトな寸法を有することができる。
【００１４】
本発明に従ったマルチベベルステップ工具は、特に、シリンダヘッドに燃料注入器のための孔を形成するためのマルチベベルステップドリルの形態に適用され得る。個々の切削ステップ、例えば３つの切削ステップは、各々好ましくは、周方向に等距離に位置した面と周方向の切削エッジとを有する多エッジ付き、特に、ある点に対して対称なエッジを有する二重エッジ付きである。
【００１５】
付加的な有用な実施形態は、従属請求項の主題である。
【００１６】
ある好適な実施形態では、チップ窓が、後続する切削ステップの周方向に隣り合った縦溝の底まで、本質的に放射方向に延在している。それゆえ、チップ窓は十分な放射方向の深さを有し、先行する切削ステップで製造されたチップが、後続する切削ステップの周方向に隣り合った縦溝を通過して、工具の柄に向かって通過されることを可能にする。
【００１７】
チップ窓は好ましくは、後続する切削ステップの少なくともはじめを覆うように、特に、後続する切削ステップの対応する面の切削ステップが本質的にチップ窓に中心を有するように、前進方向に位置されている。この位置は、後続する切削エッジの縦溝の最大長が、先行する切削ステップで製造されたチップのさらなる輸送のために利用可能であることを確実にする。チップ窓を通って後続の切削ステップの周方向に隣り合った縦溝まで、先行する切削ステップの縦溝を通過しているチップは、したがって、後続の切削ステップのはじめから、後続の切削ステップで製造されたチップと共に、工具の柄に向かって運ばれる。
【００１８】
放射方向の深さならびに軸方向の長さ、すなわちチップ窓のサイズは、加工されるべき材料、及び先行する切削ステップで期待されるチップの平均サイズ（長さ、厚さ、幅）に依存して構成されることができる。実際には、このことは、比較的長いチップに対してはかなり深く且つ長いチップ窓が選ばれることができ、比較的短いチップに対しては、より浅く且つより短いチップ窓が十分であることができることを意味する。先行する切削ステップの縦溝から、後続の切削エッジの周方向に隣り合った縦溝までのチップの輸送は、製造要件に従ってチップ窓を設計することによって、改良されることができる。
【００１９】
チップ窓は好ましくは、工具の先端から工具の柄まで軸方向に、放射状に深さが増すチップ窓の入口と、チップ窓の入口に接続されて且つ好ましくは軸方向に平行なチップ窓の底と、チップ窓の底に接続されて放射状に深さが減るチップ窓の端とに分けられる。好ましくは軸方向に平行なチップ窓の底の長さは、それぞれの要件にしたがって構成されることができる。例えば、チップ窓の底は非常に短くなることができて、チップ窓は、横から見ると凹状の開口の形状を有する。チップ窓の底をより長く設計することによって、チップ窓は細長い形状を示すことができる。チップ窓の入口及びチップ窓の端は、各々好ましくは凹面状に湾曲した表面として具現化される。チップ窓の底は好ましくは、特定の軸方向長さを有する平面、又は例えば特定の軸方向長さを有する凹面状の湾曲面からなる。
【００２０】
チップ窓の底は好ましくは、レーキ面に対して、又は周方向に隣り合っていて後続の切削ステップのレーキ面に延在する縦溝に関して、所定の角度で傾斜している。チップ窓の底をレーキ面又は周方向に隣り合っていてレーキ面に延在する縦溝面に対して傾けることによって、先行する切削ステップの縦溝と後続の切削ステップの縦溝との間の深さの差が、次第に減少されることができ、これは、先行する切削ステップの縦溝から後続の切削ステップの周方向に隣り合った縦溝へのチップの移送を改良する。
【００２１】
加えて、チップ窓は、周方向に隣り合う縦溝の間のランドにおける開口の方向に関して、本質的にはマルチベベルステップ工具の回転軸及び２つの縦溝の長手方向に対して放射方向に、又は、マルチベベルステップ工具の回転軸及び後続の切削ステップの縦溝の長手方向に対して９０°より小さい角度で、向けられることができる。本質的に放射方向の向きに比べて、回転軸又は縦溝の長手方向に対して９０°より小さい角度でのチップ窓の向きは、先行する切削ステップの縦溝から後続の切削ステップの周方向に隣り合った縦溝までのチップ窓を通した偏向が少ないという利点を有し、これはチップの輸送全体を改良する。
【００２２】
一つの好適な実施形態では、本発明に従ったマルチベベルステップ工具は、硬いセメントカーバイドで形成された単一部品工具本体、及びその工具本体に位置するＰＣＤ（多結晶ダイアモンド）切削インサートを有する。この実施形態では、先行する切削ステップのチップ窓は、軸方向長さ及び軸方向位置に関して、後続の切削ステップの対応する切削インサートの軸方向長さ及び軸方向位置に適合される。
【００２３】
縦溝はらせん状の形状を有することができるが、好ましくは、それらは直線状に具現化される。
【００２４】
加えて、本発明に従ったマルチベベルステップ工具は、一つ又はいくつかの切削ステップに切削流体を供給するための最小量潤滑に適したチャネルの内部システムを有する。切削流体の供給は、好ましくは出口を介して提供され、これは各々、先行する切削ステップの正面に向いた側面のエリアに、すなわち切削方向に対応するレーキ面の後ろに、位置する。複数の切削ステップを有するマルチベベルステップ工具の場合は、そのチップが工具の柄に向かって長い距離を輸送されなければならない専用の切削ステップのみに、例えば３つの切削ステップの場合には第１及び第２の切削ステップのみに、潤滑剤を供給すれば十分である。いずれの場合も、正面の側面で漏れ出す潤滑剤は、切削方向に後続する切削ステップの周方向に隣り合った縦溝を通って流れ出ることができて、それによって、後続の切削ステップにおけるチップ輸送を手助けすることができる。
【図面の簡単な説明】
【００２５】
以下では、図面の助けをかりて、本発明に従ったマルチベベルステップ工具の一つの例示的な実施形態が記述される。図面には以下のものがある。
【図１ａ】マルチベベルステップ工具の一つの実施形態の側面図である。
【図１ｂ】図１ａのステップドリルの正面図である。
【図２ａ】図１ａの図に対して回転軸の周りに−４０°回転されたステップドリルの側面図である。
【図２ｂ】図１ｂの図に対して回転軸の周りに−４０°回転されたステップドリルの正面図である。
【図３ａ】図１ａの図に対して回転軸の周りに−７０°回転されたステップドリルの側面図である。
【図３ｂ】図１ｂの図に対して回転軸の周りに−７０°回転されたステップドリルの正面図である。
【図３ｃ】図３ａに示されたステップドリルの工具先端の拡大図である。
【図４】図１ａ〜図３ｃに示されたステップドリルの斜視図である。
【発明を実施するための形態】
【００２６】
図面において、参照番号１０は、ステップドリルとして具現化された多エッジ付きで回転方向に駆動されるマルチベベルステップ工具を示す。ステップドリル１０は、自動車製造においてシリンダヘッドに燃料注入器を収容するために必要とされるもののような互い違いのドリル孔を製造するために使用される。図面に含まれる測定値及び製造指示がマルチベベルステップ工具の一つの例示的な実施形態のみを示していることに留意されたい。
【００２７】
ステップドリル１０は、チャック（図示せず）にそれを搭載するための工具の柄１２と切削部１４とを有している。ステップドリル１０は例えば長さ１９１．５ｍｍであり、工具の柄は直径約２５ｍｍである。示されている例示的な実施形態では、ステップドリル１０は３つの切削ステップ２０、３０及び４０を有し、第1の切削ステップは公称直径Ｄ２０を有し、第２の切削ステップ３０はわずかに大きい公称直径Ｄ３０を有し、第３の切削ステップ４０は再びより大きな公称直径Ｄ４０を有する。
【００２８】
測定値Ｄ２０は例えば約７．７ｍｍであり、測定値Ｄ３０は約１８ｍｍ、測定値Ｄ４０は約２３．７ｍｍである。全ての公称直径は、非常に厳しい公差を有している。第１、第２、及び第３の切削ステップ２０、３０、４０は、図面に見ることができるように、切削及び前進方向に、第１及び第２の切削ステップの間の角度方向の距離が約−４０°であり且つ第１及び第３の切削ステップの間の角度方向の距離が約−７０°であるように、互い違いに配置されている。図１ａ、２ａにおいて、第２及び第３の切削ステップのはじめは、点線によって示されている。
【００２９】
図示された例示的な実施形態では、第１、第２、及び第３の切削ステップ２０、３０、４０は、各々二重エッジ付きであり、すなわち、各々が２面の切削エッジ２１、３１、４１及び２つの周方向の切削エッジ２２、３２、４２、ならびに各々が切削エッジの数に対応している２つの縦溝２３、３３、４３（図１ｂ、図２ｂを参照）を有している。縦溝２３、３３、４３は、図面に見ることができるように、各々の切削ステップ２０、３０、４０のはじめから工具の柄１２の直前のそれらの端まで、連続した直線に構成されている。周方向に隣り合った縦溝２３、３３、及び３３、４３は、お互いにランド２４、３４、４４によって分けられている。第１、第２、及び第３の切削ステップ２０、３０、４０を図面に示されているように切削及び前進方向に互い違いにすることによって、第１の切削ステップ２０は切削及び前進方向で第２の切削ステップ３０に対して先行する切削ステップを構成し、第２の切削ステップ３０は切削及び前進方向で第１の切削ステップに対して後続の切削ステップを構成し、且つまた、第３の切削ステップ４０に対して先行する切削ステップを構成する。第３の切削ステップ４０は、今度は切削及び前進方向で第２の切削ステップ３０に対して後続の切削ステップを構成する。
【００３０】
図示された例示的な実施形態では、ステップドリル１０は、硬いセメントカーバイドで形成された単一部品工具本体、ならびにその工具本体に位置して各々が面と周方向の切削エッジ２１、２２、３１、３２、及び４１、４２とをそれぞれ有するＰＣＤ（多結晶ダイアモンド）切削インサート１４を有する（図３ｃ参照）。
【００３１】
図面に示されている例示的な実施形態では、第１及び第２の切削エッジ２０、３０の周方向に隣り合った縦溝２２、３３はお互いにチップ窓２５によって接続されており、これは、周方向の側に開いていて、それらの間のランド２４を遮る。図示されている例示的な実施形態では、それらの間のランド２４を遮っているチップ窓２５は、後続の第２の切削ステップ３０の周方向に隣り合った縦溝３３の底まで、本質的に放射方向に延在している。チップ窓２５は、前進方向に第２の切削ステップ３０のはじめまで延在しており、実際のところは特に、第２の切削ステップ３０の最も近い面の切削エッジ３１が、本質的にチップ窓２５に中心を有している（図２ａ参照）。
【００３２】
チップ窓２５は、工具の先端１１から工具の柄１２まで軸方向に、放射状に深さが増すチップ窓の入口２５ａと、チップ窓の入口２５ａに接続されて且つ好ましくは軸方向に平行なチップ窓の底２５ｂと、チップ窓の底に接続されて放射状に深さが減るチップ窓の入口２５ｃとに分けられる（図３ａ、３ｃを参照）。図示されている例示的な実施形態では、チップ窓の底２５ｂを間に有するチップ窓の入口２５ａとチップ窓の入口２５ｃとは、チップ窓が、ランド２４の開口の方向に、ステップドリルの回転軸１１に関して且つ第２の切削ステップ３０の縦溝３３の長手方向に関して、それぞれ本質的に放射方向に向けられている（図３ｃ参照：α?＝９０°）ように構成されている。
【００３３】
例示的な実施形態では、軸方向に平行なチップ窓の底２５ｂの長さは、ＰＣＤ切削インサート１５の長さに本質的に対応しており、これは第２の切削ステップ３０の面及び周方向の切削エッジ３１、３２を構成する。チップ窓の入口２５ａ及びチップ窓の端２５ｂは、各々凹面状の湾曲面として構成されている。チップ窓の底２５ｂは、この例示的な実施形態では、特定の軸方向長さを有する平面によって形成されている。加えて、チップ窓の底２５ｂは、第２の切削ステップ３０のレーキ面３５を延在する縦溝３３の縦溝面３６に向かって特定の角度だけ、図示されている例示的な実施形態では約５°だけ、傾斜している。
【００３４】
工具１０は第１及び第２の切削ステップ２０、３０に対する切削流体サプライを有しており、これらは、最少量の潤滑のために適したチャンネル５０の内部システムによって達成され、これは図１ａでは点線によって示されている。切削流体は出口２８、３８を介して供給され、これらは各々、正面に向いた側面２９、３９のエリアに、すなわち、切削方向で第１又は第２の切削ステップ２０、３０の対応する正面切削エッジ２１、３１の後ろに、位置する。
【００３５】
もちろん、本発明の元々の思想を離れることなく、開示されている例示的な実施形態から離れることが可能である。
【００３６】
例えば、例示的な実施形態において、チップ窓は、第１及び第２の切削ステップ２０、３０の周方向に隣り合った縦溝２３、３３の間に形成されるだけではなく、第２及び第３の切削ステップ３０、４０の周方向に隣り合った縦溝の間に形成されることもできる。
【００３７】
３つの切削ステップの代わりに、本発明にしたがったマルチベベルステップ工具はまた、２つの切削ステップのみ、あるいは３つより多くの切削ステップを有することもできる。３つより多くの切削ステップが存在する場合には、切削及び前進方向に先行の及び後続の切削ステップの任意の周方向に隣り合った縦溝が、その間のランドを遮るチップ窓によって接続されることができる。
【００３８】
チップ窓２５が回転軸１１及び後続の切削ステップの縦溝の長手方向に関して本質的に放射方向に向いている開示された例示的な実施形態から離れて、チップ窓の底２５ｂがその間にあるチップ窓の入口２５ａ及びチップ窓の端２５ｃはまた、回転軸１１及びそれぞれの後続の切削ステップの縦溝の長手方向に関して、チップ窓２５がα＜９０°の角度を向くように、構成されることができる。
【００３９】
図示されている例示的な実施形態から離れて、様々な切削ステップは、各々一つの切削エッジのみを有することができ、あるいは、２つより多くの切削エッジを有することができる。
【００４０】
加えて、いくつかの指定された切削ステップの代わりに、全ての切削ステップが、同様に切削流体を供給されることができる。
【図１ａ】
0005603924.tif 000002
【図１ｂ】
0005603924.tif 000003
【図２ａ】
0005603924.tif 000004
【図２ｂ】
0005603924.tif 000005
【図３ａ】
0005603924.tif 000006
【図３ｂ】
0005603924.tif 000007
【図３ｃ】
0005603924.tif 000008
【図４】
0005603924.tif 000009